(57)【要約】【課題】作動音や振動が皆無な冷却ユニットを備えた冷却棺桶装置を提供する。【解決手段】冷却棺桶装置１を構成する天板２に、直流電流を供給すると冷却側の面と放熱側の面との間に温度差が発生するペルチェ素子による板状の冷却ユニット１０を取り付ける。冷却ユニット１０は、開閉窓３を有する天板２と同一またはそれより薄く形成される。冷却ユニット１０は、冷却側の面が冷却棺桶装置１の内側の空間に面し、かつ放熱側の面が冷却棺桶装置１の外側の空間に面するように配設する。冷却ユニット１０は、頭部側側板４、脚部側側板５、右側側板６、左側側板７、底板８に複数設けられてもよい。また、冷却ユニット１０は、板部材に設けられた凸部または凹部と嵌合または遊嵌され、冷却棺桶装置１に対して安定的に固定可能かつ容易に着脱可能であるように形成される。さらに、頭部側側板４や脚部側側板５の全体を冷却ユニット１０で形成してもよい。【選択図】図１
2007144059.tif 000002
【特許請求の範囲】
【請求項１】
板部材で構成される略直方体の棺桶と、
ペルチェ素子を使用した板状の冷却ユニットとを具備し、
前記冷却ユニットは、前記板部材の少なくとも一部に、冷却側の面が前記棺桶の内側の空間に面し、かつ放熱側の面が前記棺桶の外側の空間に面するように取り付けられることを特徴とする冷却棺桶装置。
【請求項２】
前記冷却ユニットは、前記板部材の厚さとほぼ同一または前記板部材より薄く形成されることを特徴とする請求項１に記載の冷却棺桶装置。
【請求項３】
前記冷却ユニットは、前記冷却ユニットを取り付ける板部材に設けられた凸部または凹部に嵌合され、かつ前記棺桶に対して着脱自在とされることを特徴とする請求項１または２に記載の冷却棺桶装置。
【請求項４】
前記冷却ユニットが取り付けられた前記板部材には、前記棺桶を構成する他の板部材に設けられた凸部または凹部と係合する係合部が形成され、
前記冷却ユニットが取り付けられた前記板部材は、前記棺桶に対して着脱自在とされることを特徴とする請求項１ないし３のいずれかに記載の冷却棺桶装置。
【請求項５】
前記冷却ユニットは、少なくとも１枚の前記板部材の全部またはほぼ全部の面積を占有するように構成されることを特徴とする請求項１ないし３のいずれかに記載の冷却棺桶装置。
【請求項６】
前記冷却ユニットは、少なくとも１枚の前記板部材に複数枚取り付けられることを特徴とする請求項１ないし４のいずれかに記載の冷却棺桶装置。
【請求項７】
前記冷却ユニットには、放熱側の面に冷却ファン装置が取り付けられることを特徴とする請求項１ないし６のいずれかに記載の冷却棺桶装置。
【請求項８】
前記棺桶の底板に前記冷却ユニットが取り付けられ、
前記底板の下部に、前記冷却ユニットが発生する熱を逃がすための放熱用の通路が設けられることを特徴とする請求項１ないし７のいずれかに記載の冷却棺桶装置。
【請求項９】
前記底板の上面に、蓄冷材または保冷剤を配設したことを特徴とする請求項８に記載の冷却棺桶装置。
【発明の詳細な説明】
【技術分野】
【０００１】
本発明は冷却棺桶装置に関し、特に、作動音や振動が皆無な冷却ユニットを備えた冷却棺桶装置に関する。
【背景技術】
【０００２】
人は、天寿を全うし、または、疾病や事故により薬石効なく死に至ると、病院から自宅、または葬儀場へと移送され、仮通夜、通夜、葬儀が営まれ、野辺に送られる。この野辺に送られるまでの期間は、葬儀の忌避日があるほか、式場、寺院の受け入れ、導師、火葬場の混み具合等の事情によって週余にわたることも珍しくない。この間にも、遺体の腐敗およびこれに伴う死臭の発生は止むことなく進行する。この課題に対し、従来から、棺桶および棺桶内に安置された遺体を冷却することによって腐敗の進行を抑止する手段が試みられている。
【０００３】
遺体を冷却する方法としては、棺桶内へのドライアイスの配置が知られている。しかしながら、ドライアイスの冷気による冷却方法では、該ドライアイスを配置した箇所のみの部分的な冷却になりやすく、また、蒸発して消失するドライアイスを棺桶内に適宜補給しなければならないという課題があった。
【０００４】
前記課題に対して、従来から、電力で稼働する棺桶用の冷却装置が知られている。例えば、特許文献１には、棺桶の内部に着脱可能に配置する冷却ユニットと、該冷却ユニットと冷媒配管で連結された駆動装置とを備えた冷却装置が開示されている。該冷却装置によれば、棺桶の形状を問わず、冷却ユニットが発生する冷気によって棺桶内部および安置された遺体の冷却を行うことができる。
【特許文献１】特開２００２−３３６３１２号公報
【発明の開示】
【発明が解決しようとする課題】
【０００５】
しかしながら、特許文献１の冷却装置では、冷却ユニットの配置時または出棺時等における棺桶の移動時において、前記冷却ユニットを着脱する度に棺桶の蓋を開けなくてはならないという課題があった。また、コンプレッサやモータを用いた冷却ユニットでは、作動音や振動の発生が避けられないと共に、装置全体が大型化しやすいという課題があった。
【０００６】
本発明の目的は、上記した従来技術の課題を解決し、作動音や振動が皆無な冷却ユニットを備えた冷却棺桶装置を提供することにある。
【課題を解決するための手段】
【０００７】
前記した目的を達成するために、本発明は、板部材で構成される略直方体の棺桶と、ペルチェ素子を使用した板状の冷却ユニットとを具備し、前記冷却ユニットは、前記板部材の少なくとも一部に、冷却側の面が前記棺桶の内側の空間に面し、かつ放熱側の面が前記棺桶の外側の空間に面するように取り付けられるようにした点に第１の特徴がある。
【０００８】
また、前記冷却ユニットは、前記板部材の厚さとほぼ同一または前記板部材より薄く形成されるようにした点に第２の特徴がある。
【０００９】
また、前記冷却ユニットは、前記冷却ユニットを取り付ける板部材に設けられた凸部または凹部に嵌合され、かつ前記棺桶に対して着脱自在とされるようにした点に第３の特徴がある。
【００１０】
また、前記冷却ユニットが取り付けられた前記板部材には、前記棺桶を構成する他の板部材に設けられた凸部または凹部と係合する係合部が形成され、前記冷却ユニットが取り付けられた前記板部材は、前記棺桶に対して着脱自在とされるようにした点に第４の特徴がある。
【００１１】
また、前記冷却ユニットは、少なくとも１枚の前記板部材の全部またはほぼ全部の面積を占有するように構成されるようにした点に第５の特徴がある。
【００１２】
また、前記冷却ユニットは、少なくとも１枚の前記板部材に複数枚取り付けられるようにした点に第６の特徴がある。
【００１３】
また、前記冷却ユニットには、放熱側の面に冷却ファン装置が取り付けられるようにした点に第７の特徴がある。
【００１４】
また、前記棺桶の底板に前記冷却ユニットが取り付けられ、前記底板の下部に、前記冷却ユニットが発生する熱を逃がすための放熱用の通路が設けられるようにした点に第８の特徴がある。
【００１５】
さらに、前記底板の上面に、蓄冷材または保冷剤を配設するようにした点に第９の特徴がある。
【発明の効果】
【００１６】
請求項１の発明によれば、棺桶の内部を冷却する冷却ユニットにペルチェ素子を使用するようにしたので、作動音や振動が皆無な冷却棺桶装置が得られるようになる。また、板状の冷却ユニットを棺桶の板部材に直接取り付けるので、棺桶の周囲のスペースが冷却装置によって占有されなくなる。
【００１７】
請求項２の発明によれば、冷却ユニットが板部材の表面から突出しないので、冷却ユニットを板部材に取り付けた際の外観上の違和感を低減することができるようになる。
【００１８】
請求項３の発明によれば、冷却ユニットを板部材に安定的に固定することができるようになる。また、移動時や出棺時等には冷却ユニットを取り外すことができると共に、冷却ユニットを繰り返し使用することが可能となる。
【００１９】
請求項４の発明によれば、冷却ユニットが取り付けられた板部材が棺桶に対して脱着可能になるので、冷却ユニットに直接触れることなく、冷却ユニットの脱着ができるようになる。
【００２０】
請求項５の発明によれば、大面積の冷却ユニットの取り付けが容易になると共に、冷却ユニットと板部材との分割線が板部材同士の分割線と一致するので、外観上の違和感が少ない冷却棺桶装置が得られるようになる。
【００２１】
請求項６の発明によれば、冷却ユニットの面積および数量を調整することで、任意の冷却性能を有する冷却棺桶装置が得ることが容易になる。
【００２２】
請求項７の発明によれば、冷却ファン装置によって冷却効率が高められるので、冷却ユニットの面積を低減することができるようになる。
【００２３】
請求項８の発明によれば、冷却ユニットを取り付けたことによる外観上の違和感を低減させると共に、冷却ユニットの冷却性能を高めた冷却棺桶装置が得られるようになる。
【００２４】
請求項９の発明によれば、冷却ユニットによって蓄冷材や保冷剤の温度上昇速度を抑えることができるので、冷却棺桶装置の冷却効率を高めることができるようになる。また、蓄冷材や保冷剤を配設しない場合に比して、冷却ユニットの数量や消費電力を低減することができるようになる。
【発明を実施するための最良の形態】
【００２５】
以下、図面を参照して本発明の好ましい実施の形態について詳細に説明する。図１は、本発明の一実施形態に係る冷却棺桶装置１の斜視図である。遺体が安置される略直方体の棺桶は、頭部側側板４、脚部側側板５、右側側板６、左側側板７、底板８からなる箱枠と、開閉窓３が設けられた天板２とから構成されている。前記各板部材には、桐、けやき、ひのき、もみ等の無垢材や合板等が使用され、各板部材の結合は、釘やネジ等の結合部材や、溝やホゾ等の結合構造によって行われる。本実施形態に係る冷却棺桶装置１は、前記天板２の略中央部にペルチェ素子による冷却ユニット１０が設けられている点に特徴がある。
【００２６】
前記ペルチェ素子とは、２種類の半導体（Ｐ型とＮ型）を直列につないで直流電流を流すと、熱の移動が起きて前記素子の両側で温度差が生じるペルチェ効果を利用した周知の半導体素子であり、一般的には、複数の半導体素子および金属電極を２枚のセラミック基板で挟んだ構成とされている。このペルチェ素子に電流を流すと、前記２枚のセラミック基板の間に温度差が生じ、このとき、高温側を効率よく放熱すると、低温側の基板をマイナス１０〜２０℃の冷却面とすることができる。
【００２７】
図２は、本発明の一実施形態に係る冷却棺桶装置１の斜視図である。前記と同一の符号は、前記と同一または同等部分を示す。該図のように、冷却面を冷却棺桶装置１の内部に向けて冷却ユニット１０を天面２に設置すると、前記冷却面に触れて冷却された空気が順次下方に沈んで対流が発生するので、冷却棺桶装置１の内部を効率よく冷却することができる。前記冷却ユニット１０には、配線コード４０によって直流電流が供給される。該配線コード４０の配設は、図示するように冷却棺桶装置１０の内部を通過させるほか、天板２の上方を這わせたり、天板１０に形成したトンネル状の通路（不図示）に通す方法としてもよい。
【００２８】
前記冷却ユニット１０への電力は、商用の交流電源（通常は、１００Ｖまたは２００Ｖ）から電源プラグ４２を通して供給する。前記配線コード４０と電源プラグ４２との間に設けられるＡＣ／ＤＣアダプタ４１には、直流電力への変換機能のほか、前記冷却ユニット１０による冷却度合を調整する制御ユニットが備えられている。なお、前記冷却ユニット１０への電力の供給は、バッテリ等によって行うこともできる。
【００２９】
図３は、本発明の一実施形態に係る冷却ユニット１０の斜視図である。前記と同一の符号は、前記と同一または同等部分を示す。前記したように、冷却ユニット１０は、セラミック等で形成された上側基板１０ａおよび下側基板１０ｂによって、半導体と金属電極とからなる中間層１０ｃをサンドイッチした構成とされている。該冷却ユニット１０は、下側基板１０ｂが冷却側の面となるように電流を流すと、上側基板１０ａが放熱側（高温側）の面として作用するので、前記冷却棺桶装置１の天板２に取り付ける際には、下側基板１０ｂが冷却棺桶装置１の内側を向くように設置する。このペルチェ素子による冷却ユニット１０は、コンプレッサやモータ等による冷却装置とは異なり、作動音がほとんど発生しないので、葬儀等の静かな環境下での使用に好適である。また、冷却ユニット１０は、薄い板状に形成することができ、冷却ユニット１０を前記天板２の厚さ内に収めることが容易である。また、前記ＡＣ／ＤＣアダプタ４１および電源プラグ４２の設置スペースは小さくて済み、前記冷却棺桶装置１の周囲が機器類で占有されてしまうことがない。なお、冷却された空気を冷却棺桶装置１の内部に送り込む方法とは異なり、前記冷却棺桶装置１の内部は、上方からの冷却による対流が発生するのみなので、万一、死臭等が発生した場合でも、冷却棺桶装置１の外部に洩れる可能性は低い。
【００３０】
図４は、前記冷却ユニット１０に取り付けることが可能な冷却ファン装置５０の一実施形態の斜視図である。前記と同一の符号は、前記と同一または同等部分を示す。冷却ファン装置５０は、複数の金属板で形成されたヒートシンク５１の上部に、冷却羽根５３を回転させる電動モータ（不図示）を内蔵したケーシング５２を取り付けた構成とされている。この冷却ファン装置５０を、前記冷却ユニット１０の放熱側の面となる上側基板１０ａに設置し、配線コード５４から供給される電力によって冷却羽根５３を回転させると、上側基板１０ａに発生する熱が効率よく放熱されて、下側基板１０ｂによる冷却効果がより一層高められることになる。該冷却ファン装置５０の作動音はとても小さいので、冷却ユニット１０の静粛性が阻害されることはない。なお、前記冷却ファン装置５０の設置は、求められる冷却効果に合わせて任意に選択することが可能である。なお、送風機等で上側基板１０ａの上部に空気の流れを作ることで放熱効果を高めてもよい。
【００３１】
図５は、本発明の一実施形態に係る冷却棺桶装置１の正面図である。前記と同一の符号は、前記と同一または同等部分を示す。本実施形態では、冷却ユニット１０の形状が長方形とされているが、菱形やその他の形状に形成することも可能である。
【００３２】
図６は、図５のＡ−Ａ線断面図である。前記と同一の符号は、前記と同一または同等部分を示す。本実施形態では、前記冷却ユニット１０は、天板２の厚さよりもやや薄く形成されており、係合部１０ｄにおいて、前記天板２に形成された凸部２ａと嵌合するように構成されている。なお、前記係合部１０ｄと凸部２ａとの嵌め合わせは、両者の間に若干の隙間を設けて遊嵌させるようにしてもよい。前記冷却ユニット１０は、前記上側基板１０ａ（図３参照）の上面と天板２の上面とが一致し、滑らかな平面が形成されるように配設されており、冷却ユニット１０の設置による外観上の違和感が低減されている。さらに、前記上側基板１０ａの上面に天板２の表面仕上げに似た塗装等を施せば、外観性をより高めることが可能となる。そして、冷却棺桶装置１の移動時および出棺時には、前記冷却ユニット１０を取り外した後の孔部に、冷却ユニット１０と同一またはほぼ同一形状の板部材を嵌め込むことができるので、冷却ユニット１０は繰り返し使用することが可能である。
【００３３】
図７は、本発明の第２実施形態に係る冷却ユニット１１および天板３０を示す斜視図である。前記と同一の符号は、前記と同一または同等部分を示す。本実施形態では、冷却ユニット１１が、開閉窓３１を有する天板３０の外枠の一部を構成するように形成されている。該冷却ユニット１１も、配線コード４３によって電力を供給することで、天板３０の裏面側を冷却することが可能である。
【００３４】
図８は、前記冷却ユニット１１と天板３０との嵌合部を示す斜視図である。前記と同一の符号は、前記と同一または同等部分を示す。天板３０には、前記冷却ユニット１１を挿入するための切り欠き３２が形成されている。該切り欠き３２の両側面には、前記冷却ユニット１１に設けられた係合部１１ａと合致する溝としての凹部３０ａが設けられており、前記冷却ユニット１１は、前記凹部３０ａに沿ってスライドさせるように天板３０に挿入嵌合させることができる。なお、本実施形態においても、冷却棺桶装置の移動時および出棺時には、前記冷却ユニット１１を取り外し、冷却ユニット１１と同一またはほぼ同一形状の板部材を嵌め込むことが可能である。
【００３５】
図９は、本発明の第３実施形態に係る冷却棺桶装置６０の斜視図である。前記と同一の符号は、前記と同一または同等部分を示す。本実施形態では、前記天板２に冷却ユニット１０が設置されているほか、頭部側側板４（冷却ユニット１２）、脚部側側板（冷却ユニット１３）、右側側板６（冷却ユニット１４）、左側側板７（冷却ユニット１５）、底板８（冷却ユニット１６）にもそれぞれ１枚以上の冷却ユニットが設置されている。該図で示すように、冷却ユニットの配置は、冷却棺桶装置６０を形成する各板部材のいずれが選択されてもよく、設置数量の増減を含めて冷却性能を調整することができる。
【００３６】
なお、冷却棺桶装置６０の内部には、あらかじめ冷凍庫で冷やしてから使用したり、化学反応によって急速に冷却を開始するタイプの蓄冷材や保冷剤を配設することができる。この蓄冷材や保冷剤は、保冷機能を有する素材を変形自在の袋に密閉した袋タイプや、プラスチック等のケースに密閉された厚板タイプ、または、薄いシートタイプ等を使用することができる。そして、前記蓄冷材や保冷剤等を遺体の下部や周囲に配設し、各冷却ユニットを前記蓄冷材や保冷剤等に接するように配設すると、前記蓄冷材や保冷剤の温度上昇の速度が大幅に低減されることとなり、効率のよい冷却が可能となる。さらに、冷却設定温度の異なる蓄冷材や保冷剤を適宜選択して使用することで、棺桶内の冷却温度を任意の温度に設定することも容易となる。なお、前記蓄冷材や保冷剤は、配設したまま出棺できるように焼却可能な材質で形成したり、または、カバー等で覆って配設し、出棺時に棺桶から回収して繰り返し使用できるようにしてもよい。
【００３７】
図１０は、本発明の第４実施形態に係る冷却棺桶装置７０の斜視図である。前記と同一の符号は、前記と同一または同等部分を示す。本実施形態に係る冷却棺桶装置７０は、頭部側の側板および脚部側の側板を、それぞれ、ペルチェ素子を使用した冷却ユニットからなるカートリッジ１７として構成した点に特徴がある。配線コード４４が接続されたカートリッジ１７は、右側側板３３、左側側板３４、底板３５から構成される略Ｕの字型の枠に着脱自在となるように構成されている。本実施形態では、前記右側側板３３および左側側板３４に、前記カートリッジ１７の略山型の係合部１７ｃに対応する凹状の溝部３３ａ，３４ａを形成することによって、嵌合時に頭部側側板および脚部側側板として安定的に支持されることを可能としている。また、前記カートリッジ１７は、天板２を冷却棺桶装置７０の長手方向にずらすだけで、上方から容易に取り外すことができる。なお、本実施形態においても、冷却棺桶装置７０の移動時および出棺時には、前記カートリッジ１７をこれと同一またはほぼ同一形状の板部材に交換し、前記カートリッジ１７を繰り返し使用することが可能である。
【００３８】
図１１は、図１０のＢ方向視図である。該図では、前記天板２を取り外した状態を示している。前記と同一の符号は、前記と同一または同等部分を示す。本実施形態では、前記溝部３３ａ，３４ａが鋭角な山型とされているが、角型や台形型等に形成されてもよい。また、カートリッジ１７は、その放熱側の面１７ａが、底板３５の端面と同一またはほぼ同一になるように配置されてもよい。
【００３９】
図１２は、前記カートリッジ１７の正面図である。本実施形態においては、カートリッジ１７の全体がペルチェ素子による冷却ユニットで構成されているので、放熱側の面１７ａの面積は、前記頭部側側板４および脚部側側板５（図９参照）と同一またはほぼ同一となっている。なお、前記係合部１７ｃおよびその近傍のみを、ペルチェ素子以外の素材で形成してもよい。
【００４０】
図１３は、本発明の第４実施形態の変形例に係るカートリッジ１８の正面図である。前記と同一の符号は、前記と同一または同等部分を示す。本変形例に係るカートリッジ１８は、少なくとも１つの開口部を有するベース部材１９と、前記開口部に嵌合される冷却ユニット２０とから構成されている。該カートリッジ１８によれば、開口部および冷却ユニット２０の数量や寸法を調整することによって、任意の冷却性能を有するカートリッジ１８を得ることができるようになる。
【００４１】
図１４は、本発明の第５実施形態に係る冷却棺桶装置８０の斜視図である。前記と同一の符号は、前記と同一または同等部分を示す。本実施形態に係る冷却棺桶装置８０は、天板２に設けられた１枚の冷却ユニット１０と、底板８に設けられた３枚の冷却ユニット１６とを有している。そして、前記底板８の下部には、別体又は一体の箱状の通気ユニット８１が設けられており、該通気ユニット８１の脚部側側板８２に、電動モータで駆動する送風機８３が取り付けられている。
【００４２】
図１５は、前記冷却棺桶装置８０の断面図である。本実施形態においては、冷却ユニット１６を作動させることによって底板８の下側に滞留する熱が、通気ユニット８１の内部に形成された通路８５を通って効率よく排出されるように構成されている。前記送風機８３を作動させると、通気ユニット８１内に外気が導入されて前記通路８５に空気の流れが発生し、冷却ユニット１６の放熱側の面に発生している熱が、頭部側側板８４に設けられた排出口８６から排出される。なお、冷却棺桶装置８０への遺体の安置は、前記冷却ユニット１６に直接触れないように、簀の子状の寝台（不図示）等の上に仰臥されるようにしてもよい。また、前記送風機８３は、脚部側側板８２に直接取り付けずに、冷却棺桶装置８０の近傍に置いて作動させるようにしてもよい。
【００４３】
図１６は、本発明の第５実施形態の変形例に係る冷却棺桶装置８０ａの斜視図である。前記と同一の符号は、前記と同一または同等部分を示す。本変形においては、配線コード４５を有する冷却ユニット１８が、冷却棺桶装置８０ａの底板８ａに脱着自在に取り付けられている。前記冷却ユニット１８は、図７に示した冷却ユニット１１と同様に、底板８ａの面方向に引き抜くように取り外すことができるので、例えば、天板２によって蓋がされた後でも冷却棺桶装置８０ａから容易に取り外すことが可能となる。なお、上記した実施形態のいずれの冷却棺桶装置においても、蓄冷材や保冷剤を配設することで冷却効率を高めることができるのは勿論である。
【００４４】
上記したように、本発明に係る冷却棺桶装置によれば、棺桶の内部を冷却する冷却ユニットにペルチェ素子を使用するようにしたので、作動音や振動が皆無な冷却棺桶装置が得られるようになる。また、棺桶を構成する天板等に薄い板状の冷却ユニットを嵌め込むようにしたので、棺桶の周囲のスペースが冷却装置によって占有されることがなくなる。さらに、冷却棺桶装置に対して冷却ユニットを脱着可能としたので、棺桶の移動時および出棺時には、前記冷却ユニットを該冷却ユニットと同一またはほぼ同一形状の板部材と交換して、冷却ユニットを繰り返し使用することができるようになる。
【００４５】
なお、冷却ユニットの形状や使用数量、係合部の形状等は、上記した実施形態に限定されず、種々の変形が可能であることは勿論である。
【図面の簡単な説明】
【００４６】
【図１】本発明の一実施形態に係る冷却棺桶装置の斜視図である。
【図２】本発明の一実施形態に係る冷却棺桶装置の斜視図である。
【図３】本発明の一実施形態に係る冷却ユニットの斜視図である。
【図４】本発明の一実施形態に係る冷却ファン装置の斜視図である。
【図５】本発明の一実施形態に係る冷却棺桶装置の正面図である。
【図６】図５のＡ−Ａ線断面図である。
【図７】本発明の第２実施形態に係る冷却ユニットおよび天板の斜視図である。
【図８】図７の一部拡大図である。
【図９】本発明の第３実施形態に係る冷却棺桶装置の斜視図である。
【図１０】本発明の第４実施形態に係る冷却棺桶装置の斜視図である。
【図１１】本発明の第４実施形態に係る冷却棺桶装置の一部拡大図である。
【図１２】本発明の第４実施形態に係る冷却ユニットの正面図である。
【図１３】本発明の第４実施形態の変形例に係る冷却ユニットの正面図である。
【図１４】本発明の第５実施形態に係る冷却棺桶装置の斜視図である。
【図１５】本発明の第５実施形態に係る冷却棺桶装置の断面図である。
【図１６】本発明の第５実施形態の変形例に係る冷却棺桶装置の斜視図である。
【符号の説明】
【００４７】
１…冷却棺桶装置、２…天板、３…開閉窓、４…頭部側側板、５…脚部側側板、６…右側側板、７…左側側板、８…底板、１０…冷却ユニット
【図１】
2007144059.tif 000003
【図２】
2007144059.tif 000004
【図３】
2007144059.tif 000005
【図４】
2007144059.tif 000006
【図５】
2007144059.tif 000007
【図６】
2007144059.tif 000008
【図７】
2007144059.tif 000009
【図８】
2007144059.tif 000010
【図９】
2007144059.tif 000011
【図１０】
2007144059.tif 000012
【図１１】
2007144059.tif 000013
【図１２】
2007144059.tif 000014
【図１３】
2007144059.tif 000015
【図１４】
2007144059.tif 000016
【図１５】
2007144059.tif 000017
【図１６】
2007144059.tif 000018